(57)【要約】【課題】リニューアルで設備の一部分の機器のみを交換した際にも、確認点検作業を簡単に行うことができる自動ガス漏れ報知設備の点検装置を提供する。【解決手段】受信機１から引き出された多重伝送線２に複数のガス中継器３が接続され、ガス中継器３に設けられる信号入力端子４には信号線５を介してガス検知器６が接続され、ガス検知器６からの信号の電圧変化によりガス中継器３はガス漏れ有りと判断し、ボーリング応答時に受信機１へとガス漏れ信号を返信して、同受信機１で報知する自動ガス漏れ報知設備の点検装置Ａであり、ガス中継器３がガス漏れ有りと判断するレベルの電圧を出力するガス漏れ発生電圧出力手段７と、この出力される電圧をガス中継器３に入力させるため同ガス中継器３の信号入力端子４に着脱自在に接続される信号接続端子８と、を備えている。【選択図】　　　　　図１
2004110603.tif 000002
【特許請求の範囲】
【請求項１】
受信機から引き出された多重伝送線に複数のガス中継器が接続され、各ガス中継器に設けられる信号入力端子には信号線を介してガス検知器が接続され、信号入力端子に入力されるガス検知器からの信号の電圧変化によりガス中継器はガス漏れ有りと判断して、受信機からのポーリング応答時に同受信機へとガス漏れ信号を返信し、この受信機にてガス漏れ有りの報知を行う自動ガス漏れ報知設備の点検装置であって、ガス中継器がガス漏れ有りと判断するレベルの電圧を出力するガス漏れ発生電圧出力手段と、このガス漏れ発生電圧出力手段より出力される電圧をガス中継器に入力させるため、同ガス中継器の信号入力端子に着脱自在に接続される信号接続端子と、を備えた自動ガス漏れ報知設備の点検装置。
【請求項２】
自動ガス漏れ報知設備のガス中継器が受信機から電源供給を受けるための電源端子を有するものであって、この電源端子に着脱自在に接続される電源接続端子を備え、同電源端子から電源供給を受けるようになしたことを特徴とする請求項１記載の自動ガス漏れ報知設備の点検装置。
【請求項３】
信号接続端子及び電源接続端子から先端に着脱クリップを有するコード線を導出し、両着脱クリップが信号入力端子と電源端子とに各々着脱自在に接続されるようになしたことを特徴とする請求項２記載の自動ガス漏れ報知設備の点検装置。
【請求項４】
ガス漏れ発生電圧出力手段より出力される電圧のレベルを変化調整する出力電圧調整手段を備えたことを特徴とする請求項１〜３のいずれか一つに記載の自動ガス漏れ報知設備の点検装置。
【発明の詳細な説明】
【０００１】
【発明の属する技術分野】
本発明は、受信機に複数のガス中継器を介して各々ガス検知器が接続され、各検知器からの信号に基づき同受信機にてガス漏れ有りの報知を行う自動ガス漏れ報知設備の点検装置に関するものである。
【０００２】
【従来の技術】
従来から、ガス漏れを検知してこれを報知するガス漏れ警報器は、例えば、特開昭５６−８５１９９号公報に示す如く知られている。そして、一般に、ガス検知器が複数配設される場合には、図７に示す如く、受信機１から引き出された多重伝送線２に複数のガス中継器３が接続され、各ガス中継器３には信号線５を介してガス検知器６が接続され、ガス検知器６からの信号の電圧変化によりガス中継器３はガス漏れ有りと判断して、受信機１からのポーリング応答時に同受信機１へとガス漏れ信号を返信し、この受信機１にてガス漏れ有りの報知を行う自動ガス漏れ報知設備とされる。
【０００３】
この場合、各ガス中継器３には受信機１から導出分岐されたガス中継器用電源線１４を介して電源供給され、各ガス検知器６にはガス検知器用電源１５から導出分岐されたガス検知器用電源線１６を介して電源供給されるものである。又、受信機１は、各ガス中継器３をポーリングして、各ガス検知器６でのガス漏れ検出を行っている。各ガス検知器６は、正常時には各ガス中継器３に対して一定電圧（例えば、６Ｖ）を発生させており、ガス漏れ検出時には各ガス中継器３に対して所定レベルの電圧（例えば、１２Ｖ）を発生させる。そして、ガス中継器３は、ガス検知器６からの電圧が変化（例えば、６Ｖ→１２Ｖ）すると、ガス漏れ有りと判断して、受信機１からのボーリングの応答時にガス漏れ信号を返信する。
【０００４】
したがって、この自動ガス漏れ報知設備にあっては、受信機１にて、いずれのガス検知器６がガス漏れを検出したかを表示する等して自動的に報知することが可能となる。又、この自動ガス漏れ報知設備を点検するに際しては、実際に各ガス検知器６にライターのガス等を注入して、受信機１が正常に動作し報知するかを確認することで点検している。又、特開平１０−２０８１６４号公報には、自火報システムの中継器が示されており、このものにあっては、蓄積機能の動作試験が簡単にできるようにしている。
【０００５】
【特許文献１】
特開昭５６−８５１９９号公報
【０００６】
【特許文献２】
特開平１０−２０８１６４号公報
【０００７】
【発明が解決しようとする課題】
しかしながら、上記従来の技術では、図７に示した自動ガス漏れ報知設備において点検を行う場合、前記の如く、実際に各ガス検知器６にライターのガス等を注入して、受信機１が正常に動作し報知するかを確認している。このように各ガス検知器６の設置場所までわざわざ行って点検作業を行うことには、自動ガス漏れ報知設備が新規に設置施工される新規物件である場合にはさほど問題とならないが、既に納入済の物件で長期間（例えば、１０年〜１５年）経過しており、設備の一部分の機器のみをリニューアルで取り替える場合（例えば、受信機１のみを交換する場合、一部分のガス中継器３のみを交換する場合）には、次のような問題があった。
【０００８】
すなわち、リニューアルでの取り替えの場合、その建物は日常的に使用運用されているので、一部分の機器を取り替えた後の確認点検のため擬似的にガス漏れを発生させようと、該当するガス検知器６の設置場所に行こうとしても、このガス検知器６の設置場所が重要な部屋（例えば、社外秘密情報の存在する部屋）で容易には入室できないとか、部屋に鍵がかかっていてその鍵の持ち主を捜すのに手間を要するとかして、確認点検のための作業でガス漏れを発生させる行為に多大な労力を費やすことがあった。
【０００９】
又、上記従来の技術である特開平１０−２０８１６４号公報に示される自火報システムの中継器にあっては、この中継器そのものを蓄積機能の動作試験が受信機側のみで擬似的に行えるように改良したものであり、既存設備の点検には全く対応できないものであって、リニューアルで設備の一部分の機器のみを取り替えた後の確認点検作業には用いることができないものである。
【００１０】
本発明は、上記従来の技術における問題を悉く解決するために発明されたもので、その課題は、リニューアルで設備の一部分の機器のみを交換した際にも、その後の確認点検作業を簡単に行うことができる自動ガス漏れ報知設備の点検装置を提供することである。
【００１１】
【課題を解決するための手段】
本発明の請求項１記載の自動ガス漏れ報知設備の点検装置は、受信機から引き出された多重伝送線に複数のガス中継器が接続され、各ガス中継器に設けられる信号入力端子には信号線を介してガス検知器が接続され、信号入力端子に入力されるガス検知器からの信号の電圧変化によりガス中継器はガス漏れ有りと判断して、受信機からのポーリング応答時に同受信機へとガス漏れ信号を返信し、この受信機にてガス漏れ有りの報知を行う自動ガス漏れ報知設備の点検装置であって、ガス中継器がガス漏れ有りと判断するレベルの電圧を出力するガス漏れ発生電圧出力手段と、このガス漏れ発生電圧出力手段より出力される電圧をガス中継器に入力させるため、同ガス中継器の信号入力端子に着脱自在に接続される信号接続端子と、を備えたものである。
【００１２】
したがって、この場合、点検装置が、ガス中継器がガス漏れ有りと判断するレベルの電圧を出力するガス漏れ発生電圧出力手段と、このガス漏れ発生電圧出力手段より出力される電圧をガス中継器に入力させるため、同ガス中継器の信号入力端子に着脱自在に接続される信号接続端子と、を備えているので、ガス検知器が設置されている場所までわざわざ行かなくても、ガス中継器の信号入力端子に信号接続端子を接続させるだけで、簡単に確認点検作業を行うことができる。
【００１３】
すなわち、ガス中継器の信号入力端子に点検装置の信号接続端子を接続してやると、ガス漏れ発生電圧出力手段より出力されるガス中継器がガス漏れ有りと判断するレベルの電圧が同ガス中継器に入力されて、擬似的なガス漏れ発生状態とすることができる。そして、ガス中継器はガス漏れ有りと判断して、受信機からのポーリング応答時に同受信機へとガス漏れ信号を返信し、この受信機にてガス漏れ有りの報知が行われ、これにより、自動ガス漏れ報知設備が正常に動作し報知することを確認点検することができる。
【００１４】
本発明の請求項２記載の自動ガス漏れ報知設備の点検装置は、上記請求項１記載の自動ガス漏れ報知設備の点検装置において、自動ガス漏れ報知設備のガス中継器が受信機から電源供給を受けるための電源端子を有するものであって、この電源端子に着脱自在に接続される電源接続端子を備え、同電源端子から電源供給を受けるようになしたことを特徴とするものである。
【００１５】
したがって、この場合は特に、点検装置が、ガス中継器の電源供給用の電源端子に着脱自在に接続される電源接続端子を備えているので、この電源接続端子を同ガス中継器の電源端子に接続することにより、この電源端子から同点検装置は電源供給を受けることができ、この点検装置は電源を備える必要がなくなって簡単な構造で安価となり、その小型化を図ることもできる。
【００１６】
本発明の請求項３記載の自動ガス漏れ報知設備の点検装置は、上記請求項２記載の自動ガス漏れ報知設備の点検装置において、信号接続端子及び電源接続端子から先端に着脱クリップを有するコード線を導出し、両着脱クリップが信号入力端子と電源端子とに各々着脱自在に接続されるようになしたことを特徴とするものである。
【００１７】
したがって、この場合は特に、信号接続端子及び電源接続端子から先端に着脱クリップを有するコード線が導出され、両着脱クリップを信号入力端子と電源端子とに各々着脱自在に接続することができるので、各端子間の着脱を容易に行うことができるようになって、点検装置による確認点検作業はより簡単となる。
【００１８】
本発明の請求項４記載の自動ガス漏れ報知設備の点検装置は、上記請求項１〜３のいずれか一つに記載の自動ガス漏れ報知設備の点検装置において、ガス漏れ発生電圧出力手段より出力される電圧のレベルを変化調整する出力電圧調整手段を備えたことを特徴とするものである。
【００１９】
したがって、この場合は特に、ガス漏れ有りと判断する電圧のレベルはガス中継器の種類によって異なることもあり、種類の異なるガス中継器であっても、点検装置が、ガス漏れ発生電圧出力手段より出力される電圧のレベルを変化調整する出力電圧調整手段を備えているので、ガス中継器の信号入力端子へ出力する電圧を同出力電圧調整手段により変化調整させて対応することができ、同点検装置を共通して使用することができる。
【００２０】
【発明の実施の形態】
図１〜６は、本発明の請求項１〜４全てに対応した一実施形態である自動ガス漏れ報知設備の点検装置Ａを示している。この自動ガス漏れ報知設備は、図１に示す如く、受信機１から引き出された多重伝送線２に複数のガス中継器３が接続され、各ガス中継器３に設けられる信号入力端子４には信号線５を介してガス検知器６が接続されたもので、同信号入力端子４に入力されるガス検知器６からの信号の電圧変化によりガス中継器３はガス漏れ有りと判断して、受信機１からのポーリング応答時に同受信機１へとガス漏れ信号を返信し、この受信機１にてガス漏れ有りの報知を行うものである。
【００２１】
そして、この自動ガス漏れ報知設備を点検するための点検装置Ａは、前記ガス中継器３がガス漏れ有りと判断するレベルの電圧を出力するガス漏れ発生電圧出力手段７と、このガス漏れ発生電圧出力手段７より出力される電圧を同ガス中継器３に入力させるため、このガス中継器３の信号入力端子４に着脱自在に接続される信号接続端子８と、を備えている。
【００２２】
又、この実施形態の自動ガス漏れ報知設備では、ガス中継器３が受信機１から電源供給を受けるための電源端子９を有するものであって、点検装置Ａでは、この電源端子９に着脱自在に接続される電源接続端子１０を備え、同電源端子９から電源供給を受けるようになっている。この場合、信号接続端子８及び電源接続端子１０から先端に着脱クリップ１１を有するコード線１２を導出されていて、両着脱クリップ１１が信号入力端子４と電源端子９とに各々着脱自在に接続されるようになっている。更に、点検装置Ａが、ガス漏れ発生電圧出力手段７より出力される電圧のレベルを変化調整する出力電圧調整手段１３を備えてもいる。
【００２３】
以下、この実施形態の自動ガス漏れ報知設備の点検装置Ａについて、より詳細に説明する。まず、自動ガス漏れ報知設備は、図１に示す如く、受信機１と、この受信機１に分岐接続される複数のガス中継器３と、このガス中継器３毎に各一接続されるガス検知器６と、を備えている。受信機１と各ガス中継器３との間では、受信機１から導出分岐されたガス中継器用電源線１４を介してこの受信機１と各ガス中継器３とが接続されており、同受信機１から各ガス中継器３に電源供給されるもので、ここでは、ガス中継器用電源線１４の先端が各ガス中継器３に突設された電源端子９に接続され、又、受信機１から導出分岐された多重伝送線２を介して各ガス中継器３と同受信機１とは接続されており、両者の間でポーリングとして信号の送受信が行われる。
【００２４】
ガス中継器３とガス検知器６とは、信号線５を介して接続されており、ガス検知器６から入力される信号の電圧変化によってガス中継器３がガス漏れ有りと判断するもので、ここでは、信号線５の先端が各ガス中継器３に突設された信号入力端子４に接続されている。又、各ガス検知器６にはガス検知器用電源１５から導出分岐されたガス検知器用電源線１６が接続されており、このガス検知器用電源線１６を介して各ガス検知器６には同ガス検知器用電源１５から電源供給されるものである。
【００２５】
図２に示す如く、ガス検知器６には電源用端子１７が対に設けられ、一方は電源端子（ＢＧ＋）、他方は電源グランド端子（ＢＧ−）であり、両電源用端子１７には対のガス検知器用電源線１６の各先端が接続されている。そして、このガス検知器６には信号出力端子１８が対に設けられ、一方は信号出力端子（ＧＬ）、他方は信号出力グランド端子（ＧＣ）であり、両信号出力端子１８には対の信号線５の各先端が接続されている。
【００２６】
図３に示す如く、ガス中継器３には信号入力端子４が対に設けられ、一方は信号入力端子（ＧＬ）、他方は信号入力グランド端子（ＧＣ）であり、両信号入力端子４には前記対の信号線５の反対側の各先端が接続されている。そして、このガス中継器３には電源端子９が対に設けられ、一方は電源端子（Ｇ＋）、他方は電源グランド端子（Ｇ−）であり、両電源端子９には対のガス中継器用電源線１４の各先端が接続されている。又、このガス中継器３には多重伝送端子１９が対に設けられ、一方は多重伝送端子（ＮＡ）、他方は多重伝送グランド端子（ＮＢ）であり、両多重伝送端子１９には対の多重伝送線２の各先端が接続されている。
【００２７】
図４に示す如く、受信機１は、ＡＣ１００Ｖ電源から電源供給を受ける電源入力部２０と、この電源入力部２０に分岐接続される外部用電源部２１及び内部用電源部２２と、を有している。外部用電源部２１からは、前記ガス中継器用電源線１４を介してガス中継器３に電源供給される。又、受信機１には、多重伝送制御部２３、読替テーブル２４、表示部２５、及び、これ等を制御するＣＰＵ２６が設けられており、これ等には前記内部用電源部２２から電源供給される。多重伝送制御部２３は前記ガス中継器３と多重伝送線２を介して接続され、ポーリングのための送受信を制御するものである。
【００２８】
読替テーブル２４においては、例えば、図５に示す如く、多重伝送制御部２３からの入力情報として、中継器種類（・・・ガス中継器・・・）、アドレス（・・１１、１２、１３、１４・・）が設定され、表示部２５で表示する読替情報として、棟（・・・１・・・）、階（・・Ｂ１、Ｂ２・・）、地区（・・１、２、３、４・・）、メッセージ（・・地下１階食堂・・・地下２階厨房・・）が設定されるものである。
【００２９】
そして、受信機１は、前記各ガス中継器３をポーリングして、各ガス検知器６でのガス漏れ検出を行っており、すなわち、受信機１は多重伝送線２を介して接続されている各ガス中継器３に割り当てられた固有のアドレスを循環的に呼び出してガス検出を監視している。この場合、各ガス検知器６が、正常時には各ガス中継器３に対して一定電圧（例えば、６Ｖ）を発生させており、ガス漏れ検出時には各ガス中継器３に対して所定レベルの電圧（例えば、１２Ｖ）を発生させるものである。ここで、各ガス中継器３は、各ガス検知器６からの電圧が変化（例えば、６Ｖ→１２Ｖ）すると、ガス漏れ有りと判断して、受信機１からのポーリングの応答時にガス漏れ信号を返信する。
【００３０】
受信機１は前記ガス中継器３からのガス漏れ信号を受信すると、受信機１内の読替テーブル２４を参照し、当該ガス漏れ信号を返信したガス中継器３に対応する読替情報を同受信機１の表示部２５で表示して報知する。例えば、受信機１で、読替テーブル２４を参照してあるガス中継器３に対応する読替情報を検索し、当該ガス中継器３に対応する読替情報「棟１、階Ｂ１、地区１、地下１階食堂」のような表示を表示部２５で行ってガス漏れ発生を報知する。したがって、この自動ガス漏れ報知設備では、受信機１にて、いずれの場所（ガス漏れを検出したガス検知器６の設置された建物内の部屋や部位等）でガス漏れ発生しているかを表示して自動的に報知することができる。
【００３１】
次に、前記自動ガス漏れ報知設備を点検する点検装置Ａについて説明する。図６に示す如く、点検装置Ａは、ガス漏れ発生電圧入力手段２７とガス漏れ発生電圧出力手段７、及び、この両者各々での電圧を調整する入力電圧調整手段２８と出力電圧調整手段１３とを有している。ガス中継器３の電源端子９から入力される電圧はその製品の品種により異なる（例えば、ＤＣ２４Ｖ、ＤＣ２７Ｖ等）場合があり、どのような製品でも対応して使用できるように入力電圧調整手段２８にて入力電圧を調整する。又、ガス中継器３の信号入力端子４へ出力する電圧はその製品の品種によって異なる（例えば、ＤＣ１２Ｖ、ＤＣ１８Ｖ等）場合があり、どのような製品でも対応して使用できるように出力電圧調整手段１３にて出力電圧を調整する。
【００３２】
又、信号接続端子８及び電源接続端子１０には各々、（＋）と（−）の電極があり、各電極毎に、コード線１２ａ，１２ａ、１２ｂ，１２ｂが導出されている。各コード線１２ａ、１２ｂの先端には鰐口状の着脱クリップ１１が設けられており、各着脱クリップ１１はガス中継器３の信号入力端子４及び電源端子９に各々挟持するように取着接続され、容易に着脱することができるものである。
【００３３】
そして、ガス漏れ発生電圧入力手段２７には、ガス中継器３の電源端子９からコード線１２ｂ及び電源接続端子１０を介して、ガス漏れ発生用の電圧を作成する元となる電源が入力される。ガス漏れ発生電圧出力手段７では、ガス漏れ発生電圧入力手段２７から入力された電源を電圧変換し、ガス漏れ発生用の所定レベルの電圧（ガス中継器３がガス漏れ有りと判断するレベルの電圧、例えば、ＤＣ１２Ｖ）を作成して、この電圧を信号接続端子８及びコード線１２ａを介して、ガス中継器３の信号入力端子４へ供給入力する。
【００３４】
したがって、この実施形態の自動ガス漏れ報知設備の点検装置においては、点検装置Ａが、ガス中継器３がガス漏れ有りと判断するレベルの電圧を出力するガス漏れ発生電圧出力手段７と、このガス漏れ発生電圧出力手段７より出力される電圧をガス中継器３に入力させるため、同ガス中継器３の信号入力端子４に着脱自在に接続される信号接続端子８と、を備えているので、ガス検知器６が設置されている場所までわざわざ行かなくても、ガス中継器３の信号入力端子４に信号接続端子８を接続させるだけで、簡単に確認点検作業を行うことができる。
【００３５】
すなわち、ガス中継器３の信号入力端子４に点検装置Ａの信号接続端子８を接続してやると、ガス漏れ発生電圧出力手段７より出力されるガス中継器３がガス漏れ有りと判断する所定レベルの電圧が同ガス中継器３に入力されて、擬似的なガス漏れ発生状態とすることができる。そして、ガス中継器３はガス漏れ有りと判断して、受信機１からのポーリング応答時に同受信機１へとガス漏れ信号を返信し、この受信機１にてガス漏れ有りの報知が行われ、これにより、自動ガス漏れ報知設備が正常に動作し報知することを確認点検することができる。
【００３６】
ここでは、リニューアルで設備の一部分の機器のみを交換した際、例えば、あるガス検知器６を取り替えた場合には、このガス検知器６に接続されるガス中継器３にて前記点検装置Ａによる点検作業を行えば良く、あるガス中継器３を取り替えた場合には、このガス中継器３にて前記点検装置Ａによる点検作業を行えば良く、受信機１を取り替えた場合には、各ガス中継器３にて前記点検装置Ａによる点検作業を行えば良いものである。
【００３７】
そして、いずれの場合でも、上記従来の技術におけるように、ガス検知器６が設置されている場所までわざわざ行って、ライターのガス等でガス漏れ発生させるような面倒な作業は不要となり、ガス中継器３の設置場所にてこのガス中継器３の信号入力端子４に点検装置Ａの信号接続端子８を接続させるだけで、ガス漏れ発生を受信機１にて報知させることができ、取り替え後の確認点検の作業効率は大幅に向上される。
【００３８】
又、この実施形態の自動ガス漏れ報知設備の点検装置においては、点検装置Ａが、ガス中継器３の電源供給用の電源端子９に着脱自在に接続される電源接続端子１０を備えているので、この電源接続端子１０を同ガス中継器３の電源端子９に接続することにより、この電源端子９から同点検装置Ａは電源供給を受けることができ、この点検装置Ａは別途に電源を備える必要がなくなって簡単な構造で安価となり、その小型化を図ることもできる。しかも、信号接続端子８及び電源接続端子１０から先端に着脱クリップ１１を有するコード線１２ａ、１２ｂが導出され、両着脱クリップ１１を信号入力端子４と電源端子９とに各々着脱自在に接続することができるので、各端子間（８−４間、１０−９間）の着脱を容易に行うことができるようになって、点検装置Ａによる確認点検作業はより簡単となる。
【００３９】
更に、この実施形態の自動ガス漏れ報知設備の点検装置において、ガス漏れ有りと判断する電圧のレベルはガス中継器３の種類によって異なることもあり、種類の異なるガス中継器３であっても、点検装置Ａが、ガス漏れ発生電圧出力手段７より出力される電圧のレベルを変化調整する出力電圧調整手段１３を備えているので、ガス中継器３の信号入力端子４へ出力する電圧を同出力電圧調整手段１３により変化調整させて対応することができ、同点検装置Ａを共通して使用することができる。
【００４０】
【発明の効果】
上述の如く、本発明の請求項１記載の自動ガス漏れ報知設備の点検装置においては、リニューアルで設備の一部分の機器のみを交換した場合であっても、ガス検知器が設置されている場所までわざわざ行って、ライターのガス等でガス漏れ発生させるような面倒な作業は不要で、ガス中継器の設置場所にてこのガス中継器の信号入力端子に点検装置の信号接続端子を接続させるだけで、簡単にガス漏れ発生を受信機にて報知させることができ、取り替え後の確認点検の作業効率は大幅に向上される。
【００４１】
又、本発明の請求項２記載の自動ガス漏れ報知設備の点検装置においては、特に、電源接続端子をガス中継器の電源端子に接続することにより、この電源端子から電源供給を受けることができ、同点検装置は電源を備える必要がなくなって簡単な構造で安価となり、その小型化を図ることもできる。
【００４２】
又、本発明の請求項３記載の自動ガス漏れ報知設備の点検装置においては、特に、コード線の先端の着脱クリップを信号入力端子と電源端子とに各々着脱自在に接続することができ、各端子間の着脱を容易に行うことができて、点検装置による確認点検作業はより簡単となる。
【００４３】
又、本発明の請求項４記載の自動ガス漏れ報知設備の点検装置においては、特に、種類の異なるガス中継器であっても、このガス中継器の信号入力端子へ出力する電圧を出力電圧調整手段により変化調整させて対応することができ、同点検装置を共通して使用することができる。
【図面の簡単な説明】
【図１】本発明の一実施形態である自動ガス漏れ報知設備の点検装置の点検使用状態の全体を示す概略ブロック回路図。
【図２】同自動ガス漏れ報知設備におけるガス検知器を示す概略構成図。
【図３】同自動ガス漏れ報知設備におけるガス中継器を示す概略構成図。
【図４】同自動ガス漏れ報知設備における受信機を示すブロック構成図。
【図５】同受信機における読替テーブルを例示する説明図。
【図６】同自動ガス漏れ報知設備の点検装置の点検使用状態の要部を示すブロック構成図。
【図７】自動ガス漏れ報知設備における従来の点検方法を説明するための概略ブロック回路図。
【符号の説明】
１　受信機
２　多重伝送線
３　ガス中継器
４　信号入力端子
５　信号線
６　ガス検知器
７　ガス漏れ発生電圧出力手段
８　信号接続端子
９　電源端子
１０　電源接続端子
１１　着脱クリップ
１２ａ　コード線
１２ｂ　コード線
１３　出力電圧調整手段
Ａ　点検装置
【図１】
2004110603.tif 000003
【図２】
2004110603.tif 000004
【図３】
2004110603.tif 000005
【図４】
2004110603.tif 000006
【図５】
2004110603.tif 000007
【図６】
2004110603.tif 000008
【図７】
2004110603.tif 000009